【手続補正書】
【提出日】平成17年10月25日(2005.10.25)
【手続補正１】
【補正対象書類名】特許請求の範囲
【補正対象項目名】全文
【補正方法】変更
【補正の内容】
【特許請求の範囲】
【請求項１】
疼痛障害を処置し得る候補化合物を同定するための方法であって、該方法は、
ｉ）試験化合物と、ａ）〜ｄ）からなる群より選択されるポリペプチドを発現する細胞とを、該ポリペプチドへの該化合物の結合に適切な条件下で組み合わせる工程：
ａ）配列番号２のアミノ酸配列に少なくとも９５％同一であるアミノ酸配列を含むポリペプチドであって、該ポリペプチドが、Ｎａ−Ｃａ交換輸送体活性を有する、ポリペプチド；
ｂ）配列番号１または配列番号３のヌクレオチド配列を含む核酸に少なくとも９５％同一であるヌクレオチド配列を含む核酸分子によってコードされるポリペプチドであって、該ポリペプチドが、Ｎａ−Ｃａ交換輸送体活性を有する、ポリペプチド；
ｃ）配列番号２のアミノ酸配列を含むポリペプチド；および
ｄ）配列番号１または配列番号３に示すヌクレオチド配列によってコードされるポリペプチド；ならびに
ｉｉ）該ポリペプチドに対する該試験化合物の結合を検出し、それにより、該ポリペプチドに結合する化合物を同定する工程
を包含し、
該細胞が、脳細胞、脊髄由来の細胞および脊髄神経節由来の細胞からなる群から選択され、それにより、疼痛障害を処置し得る化合物が同定される、方法。
【請求項２】
疼痛障害を処置し得る候補化合物を同定するための方法であって、該方法は、
ｉ）試験化合物と、ａ）〜ｄ）からなる群より選択されるポリペプチドを発現する細胞とを、該試験化合物が該ポリペプチドの活性を調節するに適切な条件下で組み合わせる工程：
ａ）配列番号２のアミノ酸配列に少なくとも９５％同一であるアミノ酸配列を含むポリペプチドであって、該ポリペプチドが、Ｎａ−Ｃａ交換輸送体活性を有する、ポリペプチド；
ｂ）配列番号１または配列番号３のヌクレオチド配列を含む核酸に少なくとも９５％同一であるヌクレオチド配列を含む核酸分子によってコードされるポリペプチドであって、該ポリペプチドが、Ｎａ−Ｃａ交換輸送体活性を有する、ポリペプチド；
ｃ）配列番号２のアミノ酸配列を含むポリペプチド；および
ｄ）配列番号１または配列番号３に示すヌクレオチド配列によってコードされるポリペプチド；ならびに
ｉｉ）該試験化合物が該ポリペプチドの活性を調節する能力をアッセイする工程
を包含し、
該細胞が、脳細胞、脊髄由来の細胞および脊髄神経節由来の細胞からなる群から選択され、それにより、疼痛障害を処置し得る化合物が同定される、方法。
【請求項３】
疼痛障害を処置し得る化合物を同定するための方法であって、該方法は、
ｉ）試験化合物と、ａ）〜ｄ）からなる群より選択される核酸分子を発現する細胞とを組み合わせる工程：
ａ）配列番号１または配列番号３のヌクレオチド配列に少なくとも９５％同一であるヌクレオチド配列を含む核酸分子；
ｂ）配列番号１または配列番号３のヌクレオチド配列を含む核酸分子；
ｃ）配列番号２のアミノ酸配列に少なくとも９５％同一であるアミノ酸配列を含むポリペプチドをコードする核酸分子であって、該ポリペプチドが、Ｎａ−Ｃａ交換輸送体活性を有する、核酸分子；および
ｄ）配列番号２のアミノ酸配列をコードする核酸分子；ならびに
ｉｉ）該試験化合物が該核酸分子の発現を調節する能力をアッセイする工程
を包含し、
該細胞が、脳細胞、脊髄由来の細胞および脊髄神経節由来の細胞からなる群から選択され、それにより、疼痛障害を処置し得る化合物が同定される、方法。
【請求項４】
疼痛シグナル伝達機構を調節し得る候補化合物を同定するための方法であって、該方法は、
ｉ）試験化合物と、ａ）〜ｄ）からなる群より選択されるポリペプチドを発現する細胞とを、該ポリペプチドへの該化合物の結合に適切な条件下で組み合わせる工程：
ａ）配列番号２のアミノ酸配列に少なくとも９５％同一であるアミノ酸配列を含むポリペプチドであって、該ポリペプチドが、Ｎａ−Ｃａ交換輸送体活性を有する、ポリペプチド；
ｂ）配列番号１または配列番号３のヌクレオチド配列を含む核酸に少なくとも９５％同一であるヌクレオチド配列を含む核酸分子によってコードされるポリペプチドであって、該ポリペプチドが、Ｎａ−Ｃａ交換輸送体活性を有する、ポリペプチド；
ｃ）配列番号２のアミノ酸配列を含むポリペプチド；および
ｄ）配列番号１または配列番号３に示すヌクレオチド配列によってコードされるポリペプチド；ならびに
ｉｉ）該ポリペプチドに対する該試験化合物の結合を検出し、それにより、該ポリペプチドに結合する化合物を同定する工程
を包含し、
該細胞が、脳細胞、脊髄由来の細胞および脊髄神経節由来の細胞からなる群から選択され、それにより、疼痛シグナル伝達機構を調節し得る化合物が同定される、方法。
【請求項５】
疼痛シグナル伝達機構を調節し得る候補化合物を同定するための方法であって、該方法は、
ｉ）試験化合物と、ａ）〜ｄ）からなる群より選択されるポリペプチドを発現する細胞とを、該試験化合物が該ポリペプチドの活性を調節するに適切な条件下で組み合わせる工程：
ａ）配列番号２のアミノ酸配列に少なくとも９５％同一であるアミノ酸配列を含むポリペプチドであって、該ポリペプチドが、Ｎａ−Ｃａ交換輸送体活性を有する、ポリペプチド；
ｂ）配列番号１または配列番号３のヌクレオチド配列を含む核酸に少なくとも９５％同一であるヌクレオチド配列を含む核酸分子によってコードされるポリペプチドであって、該ポリペプチドが、Ｎａ−Ｃａ交換輸送体活性を有する、ポリペプチド；
ｃ）配列番号２のアミノ酸配列を含むポリペプチド；および
ｄ）配列番号１または配列番号３に示すヌクレオチド配列によってコードされるポリペプチド；ならびに
ｉｉ）該試験化合物が該ポリペプチドの活性を調節する能力をアッセイする工程
を包含し、
該細胞が、脳細胞、脊髄由来の細胞および脊髄神経節由来の細胞からなる群から選択され、それにより、疼痛シグナル伝達機構を調節し得る化合物が同定される、方法。
【請求項６】
疼痛シグナル伝達機構を調節し得る化合物を同定するための方法であって、該方法は、
ｉ）試験化合物と、ａ）〜ｄ）からなる群より選択される核酸分子を発現する細胞とを組み合わせる工程：
ａ）配列番号１または配列番号３のヌクレオチド配列に少なくとも９５％同一であるヌクレオチド配列を含む核酸分子；
ｂ）配列番号１または配列番号３のヌクレオチド配列を含む核酸分子；
ｃ）配列番号２のアミノ酸配列に少なくとも９５％同一であるアミノ酸配列を含むポリペプチドをコードする核酸分子であって、該ポリペプチドが、Ｎａ−Ｃａ交換輸送体活性を有する、核酸分子；および
ｄ）配列番号２のアミノ酸配列をコードする核酸分子；ならびに
ｉｉ）該試験化合物が該核酸分子の発現を調節する能力をアッセイする工程
を包含し、
該細胞が、脳細胞、脊髄由来の細胞および脊髄神経節由来の細胞からなる群から選択され、それにより、疼痛シグナル伝達機構を調節し得る化合物が同定される、方法。
【請求項７】
前記疼痛障害が、炎症性疼痛、慢性疼痛、神経障害性の疼痛、カウザルギー、繊維筋痛症、癌の疼痛、片頭痛／頭痛または組織疼痛である、請求項１、２または３に記載の方法。
【請求項８】
前記化合物が、低分子、ペプチドおよび抗体からなる群より選択される、請求項１、２、４または５に記載の方法。
【請求項９】
前記化合物が、アンチセンス核酸分子である、請求項３または６に記載の方法。
【請求項１０】
前記ポリペプチドが、異種アミノ酸配列をさらに含む、請求項１、２、４または５に記載の方法。
【請求項１１】
疼痛についての動物モデルへ前記同定された化合物を投与する工程および該化合物が該動物モデルにおいて疼痛を調節するか否かを決定する工程をさらに包含する、請求項１、２、３、４、５または６に記載の方法。
【請求項１２】
疼痛障害を有する被験体、または疼痛障害を発症する危険性のある被験体を同定するためのキットであって、該キットは、第１増幅プライマーおよび第２増幅プライマーを備え、該第１プライマーは、配列番号１または配列番号３の少なくとも２５個連続したヌクレオチドを含み、そして該第２プライマーは、配列番号１または配列番号３の相補体からの少なくとも２５個連続したヌクレオチドを含む、キット。
【請求項１３】
疼痛障害を有する被験体、または疼痛障害を発症する危険性のある被験体を同定するためのキットであって、該キットは、ａ）〜ｄ）：
ａ）配列番号２のアミノ酸配列に少なくとも９５％同一であるアミノ酸配列を含むポリペプチドであって、該ポリペプチドが、Ｎａ−Ｃａ交換輸送体活性を有する、ポリペプチド；
ｂ）配列番号１または配列番号３のヌクレオチド配列を含む核酸に少なくとも９５％同一であるヌクレオチド配列を含む核酸分子によってコードされるポリペプチドであって、該ポリペプチドが、Ｎａ−Ｃａ交換輸送体活性を有する、ポリペプチド；
ｃ）配列番号２のアミノ酸配列を含むポリペプチド；および
ｄ）配列番号１または配列番号３に示すヌクレオチド配列によってコードされるポリペプチド；
からなる群より選択されるポリペプチド；ならびに
該ポリペプチドに選択的に結合し得る抗体
を備える、キット。
【請求項１４】
前記疼痛障害が、炎症性疼痛、慢性疼痛、神経障害性の疼痛、カウザルギー、繊維筋痛症、癌の疼痛、片頭痛／頭痛または組織疼痛である、請求項１２または１３に記載のキット。
【請求項１５】
請求項１、２、３、４、５または６に記載の同定された化合物を含む、疼痛障害を有する被験体を処置するための薬学的組成物。
【請求項１６】
前記疼痛障害が、炎症性疼痛、慢性疼痛、神経障害性の疼痛、カウザルギー、繊維筋痛症、癌の疼痛、片頭痛／頭痛または組織疼痛である、請求項１５に記載の薬学的組成物。